Podtech/llm-jp-corpus-v4-ja_patent huggingface dataset:
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
５０〜６５質量％のＣｕ；
０．４〜３質量％のＭｎ；
０．５５〜３質量％のＳｎ；
最大で１質量％のＦｅ；
最大で１質量％のＮｉ；
最大で１質量％のＡｌ；
最大で１．５質量％のＳｉ；
最大で０.２重量％のＰｄ；
残余のＺｎ及び不可避不純物
を有し、
元素ＭｎとＳｎの合計が、最小で１．３質量％かつ最大で６．０質量％である、
無鉛高張力黄銅合金。
【請求項２】
５６〜６２質量％のＣｕ；
１．５〜２．３質量％のＭｎ；
１．４〜２．２質量％のＳｎ；
０．１〜０．７質量％のＦｅ；
最大で０．３質量％のＮｉ；
最大で０．５質量％のＡｌ又は最大で０．７質量％のＡｌ；
０．２５〜０．８５質量％のＳｉ；
残余のＺｎ及び不可避不純物
を有する、請求項１に記載の無鉛高張力黄銅合金。
【請求項３】
５７〜６１．５質量％のＣｕ；
１．７〜２．２質量％のＭｎ；
１．５〜２．１質量％のＳｎ；
０．１〜０．７質量％のＦｅ；
最大で０．３質量％のＮｉ；
最大で０．５質量％のＡｌ又は最大で０．７質量％のＡｌ；
０．３〜０．７質量％のＳｉ；
残余のＺｎ及び不可避不純物
を有する、請求項２に記載の無鉛高張力黄銅合金。
【請求項４】
元素Ｍｎ及びＳｎが、合金中に０．９５〜１．１５のＭｎのＳｎに対する比で含まれる、請求項２又は３に記載の無鉛高張力黄銅合金。
【請求項５】
Ｍｎ含量がＳｎ含量よりも８％〜１５％多い、請求項４に記載の無鉛高張力黄銅合金。
【請求項６】
５７〜６１．５質量％のＣｕ；
１．７〜２．２質量％のＭｎ；
０．６〜１．２質量％のＳｎ；
０．１〜０．７質量％のＦｅ；
最大で０．３質量％のＮｉ；
最大で０．５質量％のＡｌ又は最大で０．７質量％のＡｌ；
０．３〜０．７質量％のＳｉ；
残余のＺｎ及び不可避不純物
を有する、請求項１に記載の無鉛高張力黄銅合金。
【請求項７】
元素Ｍｎ及びＳｎが、合金中に１．６５〜１．９のＭｎのＳｎに対する比で含まれる、請求項６に記載の無鉛高張力黄銅合金。
【請求項８】
Ｍｎ含量がＳｎ含量よりも６０％〜８５％多い、請求項７に記載の無鉛高張力黄銅合金。
【請求項９】
Ｆｅ含量が０．３〜０．５質量％である、請求項２から８の何れか一項に記載の無鉛高張力黄銅合金。
【請求項１０】
Ｓｎ含量が１．９〜２．１質量％である、請求項２から５の何れか一項に記載の無鉛高張力黄銅合金。
【請求項１１】
Ｓｎ含量が０．９〜１．１質量％である、請求項６に記載の無鉛高張力黄銅合金。
【請求項１２】
Ｓｎ含量が１．９〜２．１質量％である、請求項２から１１の何れか一項に記載の無鉛高張力黄銅合金。
【請求項１３】
５２〜５９質量％のＣｕ；
１．５〜２．７質量％のＭｎ；
０．５５〜２．５質量％のＳｎ；
０．１〜１質量％のＦｅ；
最大で０．２質量％のＮｉ；
最大で０．３質量％のＡｌ；
最大で０．１５〜１質量％のＳｉ；
残余のＺｎ及び不可避不純物
を有する、請求項１に記載の無鉛高張力黄銅合金。
【請求項１４】
５３〜５９質量％のＣｕ；
１．６〜２．５質量％のＭｎ；
０．５５〜１．４質量％のＳｎ；
０．１〜１質量％のＦｅ；
最大で０．２質量％のＮｉ；
最大で０．３質量％のＡｌ；
０．１５〜１質量％のＳｉ；
残余のＺｎ及び不可避不純物
を有する、請求項１３に記載の無鉛高張力黄銅合金。
【請求項１５】
元素Ｍｎ及びＳｎが、合金中に１．６５〜１．９のＭｎのＳｎに対する比で含まれる、請求項１４に記載の無鉛高張力黄銅合金。
【請求項１６】
５３〜５９質量％のＣｕ；
１．６〜２．５質量％のＭｎ；
１．２〜２．２質量％のＳｎ；
０．１〜１質量％のＦｅ；
最大で０．２質量％のＮｉ；
最大で０．３質量％のＡｌ；
０．１５〜１質量％のＳｉ；
残余のＺｎ及び不可避不純物
を有する、請求項１３に記載の無鉛高張力黄銅合金。
【請求項１７】
元素Ｍｎ及びＳｎが、合金中に１．０〜１．２５のＭｎのＳｎに対する比で含まれる、請求項１３に記載の無鉛高張力黄銅合金。
【請求項１８】
Ｓｎ含量が０．６〜１．３質量％である、請求項１４に記載の無鉛高張力黄銅合金。
【請求項１９】
Ｓｎ含量が１．３〜２．１質量％である、請求項１６に記載の無鉛高張力黄銅合金。
【請求項２０】
押出成形された高張力黄銅合金製品が、２４０〜２５０Ｎ／ｍｍ２の引張強度値Ｒｐ０．２、及び５３０〜５５０Ｎ／ｍｍ２のＲｍ、並びに、２０％〜３０％の破断伸びを有しており、より大きい最終的な引張値を有する高張力黄銅合金製品が、より大きい破断伸び値を同時に有する、請求項１４に記載の高張力黄銅合金から製造された、高張力黄銅合金製品。
【請求項２１】
押出成形された高張力黄銅合金製品が、２６０〜２７０Ｎ／ｍｍ２の引張強度値Ｒｐ０．２、及び５２０〜５５０Ｎ／ｍｍ２のＲｍ、並びに、１５％〜２５％の破断伸びを有しており、より大きい最終的な引張値を有する高張力黄銅合金製品が、より大きい破断伸び値を同時に有する、請求項１６に記載の高張力黄銅合金から製造された、高張力黄銅合金製品。
【請求項２２】
電気伝導率が１２ＭＳ／ｍ未満である、請求項１から１９の何れか一項に記載の高張力黄銅合金から製造された、高張力黄銅合金製品。
【請求項２３】
前記合金製品が、軸受部品であり、好ましくは、オイル環境で軸受とともに使用するための軸受部品である、請求項１から１９の何れか一項に記載の高張力黄銅合金から製造された、高張力黄銅合金製品。
【請求項２４】
前記軸受部品が、ターボチャージャ用の部品である、請求項２３に記載の高張力黄銅合金製品。
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
眼内レンズデバイス（ＩＯＬデバイス）であって、
前部領域と、
後部領域と、
前記前部領域と前記後部領域との間に画定される空洞領域と、
前記空洞領域の中に配置される流体と
を備え、
前記流体は、約２０，０００ダルトンより大きい平均分子量を有するシリコーンオイルを含有し、前記シリコーンオイルの全重量の最大で約３％から約４％が約１５，０００ダルトン未満の分子量を有する成分で構成される、ＩＯＬデバイス。
【請求項２】
前記シリコーンオイルは、約５，０００ダルトン未満の分子量を有する成分を含有しない、請求項１に記載のＩＯＬデバイス。
【請求項３】
前記シリコーンオイルは２５℃で約４，０００ｍｍ２／ｓ以上の粘度を有する、請求項１又は２に記載のＩＯＬデバイス。
【請求項４】
前記シリコーンオイルは約１．４９の屈折率を有する、請求項１から３のいずれか一項に記載のＩＯＬデバイス。
【請求項５】
前記シリコーンオイルは約１．５以上の多分散指数を有する、請求項１から４のいずれか一項に記載のＩＯＬデバイス。
【請求項６】
前記シリコーンオイルは、ジフェニルシロキサンとジメチルシロキサンとを含有する、請求項１から５のいずれか一項に記載のＩＯＬデバイス。
【請求項７】
前記シリコーンオイルは、約２０モルパーセントから約２５モルパーセントのジフェニルシロキサンと、約８０モルパーセントから約７５モルパーセントのジメチルシロキサンとを含有する、請求項６に記載のＩＯＬデバイス。
【請求項８】
前記前部領域は屈折光学要素を含み、前記後部領域の少なくとも一部は、加えられる力に応答して動くように構成された弾性材料を含むことにより、前記流体が前記屈折光学要素に対して変形させる又は変位させる力を加えることになる、請求項１から７のいずれか一項に記載のＩＯＬデバイス。
【請求項９】
前記前部領域及び前記後部領域のうち少なくとも１つはバルク高分子材料を含有する、請求項１から８のいずれか一項に記載のＩＯＬデバイス。
【請求項１０】
約２０，０００ダルトン以上の平均分子量を有するシリコーンオイルであって、シリコーンオイルの全重量の最大で約３％から約４％が約１５，０００ダルトン未満の分子量を有する成分で構成される、シリコーンオイル。
【請求項１１】
前記シリコーンオイルは、約２０，０００ダルトンから約４００，０００ダルトンの範囲の平均分子量を有する、請求項１０に記載のシリコーンオイル。
【請求項１２】
前記シリコーンオイルの全重量は、約５，０００ダルトンより大きい分子量を有する成分で構成される、請求項１０又は１１に記載のシリコーンオイル。
【請求項１３】
前記シリコーンオイルは２５℃で約４，０００ｍｍ２／ｓ以上の粘度を有する、請求項１０から１２のいずれか一項に記載のシリコーンオイル。
【請求項１４】
前記シリコーンオイルは約１．４９の屈折率を有する、請求項１０から１３のいずれか一項に記載のシリコーンオイル。
【請求項１５】
前記シリコーンオイルは約１．５以上の多分散指数を有する、請求項１０から１４のいずれか一項に記載のシリコーンオイル。
【請求項１６】
前記シリコーンオイルは、ジフェニルシロキサンとジメチルシロキサンとを含有する、請求項１０から１５のいずれか一項に記載のシリコーンオイル。
【請求項１７】
前記シリコーンオイルは、約２０モルパーセントから約２５モルパーセントのジフェニルシロキサンと、約８０モルパーセントから約７５モルパーセントのジメチルシロキサンとを含有する、請求項１６に記載のシリコーンオイル。
【請求項１８】
患者の目の水晶体被膜内への移植用に構成された眼内レンズデバイス（ＩＯＬデバイス）であって、
前記ＩＯＬデバイスは、
約２０，０００ダルトンより大きい平均分子量を有するシリコーンオイルであって、前記シリコーンオイルは、約５，０００ダルトン未満の分子量を有する成分を含有しないように精製される、シリコーンオイルと、
バルク高分子材料であって、前記バルク高分子材料の少なくとも一部が前記シリコーンオイルと物理的に接触している、バルク高分子材料と
を備える、ＩＯＬデバイス。
【請求項１９】
前記シリコーンオイルは前記バルク高分子材料によって完全に閉じ込められる、請求項１８に記載のＩＯＬデバイス。
【請求項２０】
前記バルク高分子材料は、下記の式（Ｉ）で表され得るフルオロシリコーン重合体であり、
【化１】
2019519664.tif 000001
ｎ及びｍはそれぞれ個別に０から約５００であり、ｔは約１００から約１０００であり、各Ｒ１は個別にアルキル又はアリールであり、Ｒ２はハロアルキルであり、Ｒ３はアルキル又はハロアルキルであり、Ｒ４及びＲ５は個別にアルキル、ハロアルキル、又はアリールであり、各Ｘは式（Ｉ）の前記フルオロシリコーン重合体を式（Ｉ）の第２の重合体と結合させる架橋剤である、請求項１８又は１９に記載のＩＯＬデバイス。
【請求項２１】
前記架橋剤であるＸは、約３０モルパーセントから約７０モルパーセントのメチル−水素含有率を有するメチルヒドロシロキサン−ジメチルシロキサン共重合体である、請求項２０に記載のＩＯＬデバイス。
【請求項２２】
前記シリコーンオイルは超臨界流体抽出法を用いて精製される、請求項１８から２１のいずれか一項に記載のＩＯＬデバイス。
【手続補正書】
【提出日】令和2年4月10日(2020.4.10)
【手続補正１】
【補正対象書類名】明細書
【補正対象項目名】００４０
【補正方法】変更
【補正の内容】
【００４０】
実施形態の主題の精神および範囲から離れることなく、記載した実施形態に様々な改良および変更が為され得ることは当業者に明らかであろう。よって、様々な記載した実施形態の改良および変更が添付の実施形態の範囲内およびそれらの均等の範囲内にある限り、本明細書はそのような改良および変更を包含することを意図する。
以下、本発明の好ましい実施形態を項分け記載する。
実施形態１
ガスタービンにおけるバナジウム腐食を低減する方法であって、
燃焼燃料中に、カーボンブラック支持体粒子、および前記カーボンブラック支持体粒子に取り付けられたマグネシウムを含む親油性腐食阻害剤を加えるステップを含み、
前記カーボンブラック支持体粒子が、４０ｎｍ未満の粒径、１重量％未満の酸素含有量、および少なくとも５０ｍ２／グラムの表面積を含む、方法。
実施形態２
前記マグネシウムが酸化マグネシウムである、実施形態１に記載のガスタービンにおけるバナジウム腐食を低減する方法。
実施形態３
前記マグネシウムが０．０５〜２０重量パーセントの酸化マグネシウムを含む、実施形態１に記載のガスタービンにおけるバナジウム腐食を低減する方法。
実施形態４
前記燃焼燃料が液体油を含む、実施形態１に記載のガスタービンにおけるバナジウム腐食を低減する方法。
実施形態５
前記カーボンブラックがアセチレンブラックである、実施形態１に記載のガスタービンにおけるバナジウム腐食を低減する方法。
実施形態６
前記カーボンブラック支持体の前記粒径が２０ｎｍ未満である、実施形態１に記載のガスタービンにおけるバナジウム腐食を低減する方法。
実施形態７
前記カーボンブラック支持体粒子の前記酸素含有量が１．０重量パーセント未満である、実施形態１に記載のガスタービンにおけるバナジウム腐食を低減する方法。
実施形態８
前記カーボンブラック支持体粒子の灰含有量が０．５重量パーセント未満である、実施形態１に記載のガスタービンにおけるバナジウム腐食を低減する方法。
実施形態９
前記親油性支持体と前記腐食阻害剤とを混合することをさらに含む、実施形態１に記載のガスタービンにおけるバナジウム腐食を低減する方法。
実施形態１０
前記親油性腐食阻害剤を液体燃料の溶媒と混合することをさらに含む、実施形態１に記載のガスタービンにおけるバナジウム腐食を低減する方法。
実施形態１１
前記カーボンブラック支持体粒子の前記表面積が５０ｍ２／グラムから１００ｍ２／グラムである、実施形態１に記載のガスタービンにおけるバナジウム腐食を低減する方法。
実施形態１２
前記親油性腐食阻害剤が、酸化マグネシウムの前記量が前記バナジウムを超過するような量で加えられる、実施形態１に記載のガスタービンにおけるバナジウム腐食を低減する方法。
実施形態１３
前記バナジウム腐食阻害剤を製造する方法であって、
カーボンブラック粒子を酸化するステップと、
前記酸化されたカーボンブラックをマグネシウム塩溶液と混合するステップと、
前記混合物を乾燥して、酸化されたカーボンブラックとマグネシウム塩との乾燥混合物を生じさせるステップと、
前記乾燥混合物をか焼して、窒素、ヘリウム、およびアルゴンなどの不活性ガス気流下で前記バナジウム腐食阻害剤を生成するステップと、
を含み、
前記バナジウム腐食阻害剤が、前記カーボンブラック支持体粒子に取り付けられた酸化マグネシウムを含み、前記カーボンブラック支持体粒子が、４０ｎｍ未満の粒径、１重量パーセント未満の酸素含有量、０．５重量パーセント未満の灰含有量、および５０ｍ２／グラムより大きい表面積を含む、方法。
実施形態１４
前記カーボンブラック支持体粒子の酸化が酸化雰囲気中での加熱を伴う、実施形態１３に記載のバナジウム腐食阻害剤を製造する方法。
実施形態１５
前記カーボンブラック支持体粒子の酸化が酸化性溶液中に前記カーボンブラック支持体粒子を浸すことを伴う、実施形態１３に記載のバナジウム腐食阻害剤を製造する方法。
実施形態１６
前記マグネシウム塩溶液が、水、および、塩化マグネシウム、硝酸マグネシウム六水和物、または硫酸マグネシウムから選択されるマグネシウム塩を含む、実施形態１３に記載のバナジウム腐食阻害剤を製造する方法。
実施形態１７
親油性カーボンブラック支持体粒子および前記カーボン支持体粒子に結合したマグネシウムを含む親油性腐食阻害剤であって、
前記カーボンブラック支持体粒子が、４０ｎｍ未満の粒径、１重量パーセント未満の酸素含有量、０．５重量パーセント未満の灰含有量、および少なくとも５０ｍ２／グラムの表面積を含み、かつ、
前記マグネシウムが、酸化マグネシウム、元素状マグネシウム、またはこれらの組合せを含み、前記マグネシウムが、少なくとも２０重量パーセントの酸化マグネシウムを含む、親油性腐食阻害剤。
実施形態１８
０．０５〜２０重量パーセントの酸化マグネシウムを含む、実施形態１７に記載の親油性腐食阻害剤。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
哺乳動物の腫瘍を処置するための医薬組成物であって、
有効量の少なくとも１つのグルココルチコイド誘導性ＴＮＦＲ関連タンパク質（ＧＩＴＲ）アゴニストと、
有効量の少なくとも１つのＣｐＧオリゴデオキシヌクレオチド（ＯＤＮ）と、
薬学的に許容可能な担体と、
を含み、
前記少なくとも１つのＧＩＴＲアゴニストは：
ａ）ＳＥＱ  ＩＤ  ＮＯ：６の配列を含むＣＤＲ１と、ＳＥＱ  ＩＤ  ＮＯ：７の配列を含むＣＤＲ２と、ＳＥＱ  ＩＤ  ＮＯ：８の配列を含むＣＤＲ３とを含むＧＩＴＲ結合ドメイン（ＧＩＴＲ−ＢＤ）を含む抗体；
ｂ）ＳＥＱ  ＩＤ  ＮＯ：５の配列、または、
ＳＥＱ  ＩＤ  ＮＯ：５と少なくとも９０％同一である配列、
を含むＧＩＴＲ−ＢＤを含む抗体；
ｃ）構造（ＧＩＴＲ−ＢＤ）−リンカー−（ＧＩＴＲ−ＢＤ）−リンカー−ヒンジ−Ｆｃを有するポリペプチドの２つのコピーを含む四価分子であって、（ｉ）前記ＧＩＴＲ−ＢＤは、ＳＥＱ  ＩＤ  ＮＯ：６の配列を含むＣＤＲ１と、ＳＥＱ  ＩＤ  ＮＯ：７の配列を含むＣＤＲ２と、ＳＥＱ  ＩＤ  ＮＯ：８の配列を含むＣＤＲ３とを含み、（ｉｉ）前記リンカーはポリペプチドであり、（ｉｉｉ）前記ヒンジは、免疫グロブリンヒンジ領域に由来するポリペプチドであり、（ｉｖ）前記Ｆｃは免疫グロブリンＦｃポリペプチドである、四価分子；
ｄ）構造（ＧＩＴＲ−ＢＤ）−リンカー−（ＧＩＴＲ−ＢＤ）−リンカー−ヒンジ−Ｆｃを有するポリペプチドの２つのコピーを含む四価分子であって、（ｉ）前記ＧＩＴＲ−ＢＤは、ＳＥＱ  ＩＤ  ＮＯ：５のアミノ酸配列を含み、（ｉｉ）前記リンカーはポリペプチドであり、（ｉｉｉ）前記ヒンジは、免疫グロブリンヒンジ領域に由来するポリペプチドであり、（ｉｖ）前記Ｆｃは免疫グロブリンＦｃポリペプチドである、四価分子；および
ｅ）ＳＥＱ  ＩＤ  ＮＯ：４の配列、または、
ＳＥＱ  ＩＤ  ＮＯ：４と少なくとも９０％同一である配列、
を含むポリペプチドの２つのコピーを含む四価分子、
から選択されるＧＩＴＲ抗体である、医薬組成物。
【請求項２】
前記少なくとも１つのＧＩＴＲアゴニストは腫瘍内に投与または全身投与される、請求項１の医薬組成物。
【請求項３】
前記処置は、有効量の１つまたは複数の追加の治療薬を前記哺乳動物に投与することをさらに含み、前記１つまたは複数の追加の治療薬は、１つもしくは複数の化学療法薬、１つもしくは複数の生物学的薬剤、１つもしくは複数の抗血管新生薬、１つもしくは複数の増殖阻害薬、１つもしくは複数の抗新生物形成組成物、手術、またはそれらの組み合わせを含む、請求項１または２の医薬組成物。
【請求項４】
前記哺乳動物はヒトである、請求項１〜３の何れかの医薬組成物。
【請求項５】
前記腫瘍はリンパ腫、メラノーマ、肉腫、または腺がんである、請求項１〜４の何れか一項の医薬組成物。
【請求項６】
前記腫瘍は、乳房、肝臓、脾臓、腎臓、大腸、前立腺、肺、中枢神経系、頭頸部、胃、膵臓、卵巣、子宮頸部、精巣、膀胱、または胆のうのがんである、請求項１〜４の何れか一項の医薬組成物。
【請求項７】
前記少なくとも１つのＣｐＧ  ＯＤＮにはクラスＢのＯＤＮが含まれる、請求項１〜６の何れか一項の医薬組成物。
【請求項８】
前記クラスＢのＯＤＮは、ＳＥＱ  ＩＤ  ＮＯ：１（ホスホロチオエートである塩基を有する５´−ｔｃｇｔｃｇｔｔｔｔｇｔｃｇｔｔｔｔｇｔｃｇｔｔ−３´）およびＳＥＱ  ＩＤ  ＮＯ：２（ホスホロチオエートである塩基を有する５´−ｔｃｃａｔｇａｃｇｔｔｃｃｔｇａｃｇｔｔ−３´）、ＳＥＱ  ＩＤ  ＮＯ：３（５´−ＴＧＡＣＴＧＴＧＡＡＣＧＴＴＣＧＡＧＡＴＧＡ−３）、またはそれらの組み合わせを含む、請求項７の医薬組成物。
【請求項９】
前記処置は、少なくとも２回の別個の腫瘍内投与を含む、請求項１〜８の何れか一項の医薬組成物。
【請求項１０】
前記少なくとも１つのＧＩＴＲアゴニストの有効量は、少なくとも０．２５ｍｇ／ｋｇであり、前記少なくとも１つのＣｐＧ  ＯＤＮの有効量は、少なくとも２．５ｍｇ／ｋｇである、請求項１〜８の何れか一項の医薬組成物。
【請求項１１】
前記少なくとも１つのＧＩＴＲアゴニストの有効量は、０．０１〜０．１ｍｇ／ｋｇであり、前記少なくとも１つのＣｐＧ  ＯＤＮの有効量は、０．５〜１．０ｍｇ／ｋｇである、請求項１〜８の何れか一項の医薬組成物。
【請求項１２】
請求項１〜８の何れか一項の医薬組成物と、任意選択的に、１つもしくは複数の化学療法薬、１つもしくは複数の生物学的薬剤、１つもしくは複数の抗血管新生薬、１つもしくは複数の増殖阻害薬、１つもしくは複数の抗新生物形成組成物、またはそれらの組み合わせとを含む、キット。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
対象における肺血管疾患を治療する方法に用いる組成物であって、前記方法が、ＹＡＰ／ＴＡＺ阻害組成物および／またはＧＬＳ１阻害組成物の治療有効量を前記対象に投与することを含む、組成物。
【請求項２】
前記ＹＡＰ／ＴＡＺ阻害組成物が前記対象に投与される、請求項１に記載の組成物。
【請求項３】
前記ＹＡＰ／ＴＡＺ阻害組成物が、ベルテポルフィン、その塩、プロドラッグ、または
誘導体である、請求項１または２に記載の組成物。
【請求項４】
前記肺血管疾患が肺高血圧症である、請求項１から３のいずれか一項に記載の組成物。
【請求項５】
前記肺血管疾患が肺動脈高血圧症である、請求項１から３のいずれか一項に記載の組成物。
【請求項６】
前記ＧＬＳ１阻害組成物が前記対象に投与される、請求項１に記載の組成物。
【請求項７】
前記ＧＬＳ１阻害組成物が、ＣＢ−９６８、その塩、プロドラッグ、または誘導体であ
る、請求項６に記載の組成物。
【請求項８】
前記肺血管疾患が肺高血圧症である、請求項６から８のいずれか一項に記載の組成物。
【請求項９】
前記肺血管疾患が肺動脈高血圧症である、請求項６から８のいずれか一項に記載の組成物。
【請求項１０】
前記ＹＡＰ／ＴＡＺ阻害組成物および前記ＧＬＳ１阻害組成物の両方が前記対象に投与
される、請求項１に記載の組成物。
【請求項１１】
前記ＹＡＰ／ＴＡＺ阻害組成物が、ベルテポルフィン、その塩、プロドラッグ、または
誘導体である、請求項１０に記載の組成物。
【請求項１２】
前記ＧＬＳ１阻害組成物が、ＣＢ−９６８、その塩、プロドラッグ、または誘導体であ
る、請求項１０または１１に記載の組成物。
【請求項１３】
前記肺血管疾患が肺高血圧症である、請求項１０から１２のいずれか一項に記載の組成物。
【請求項１４】
前記肺血管疾患が肺動脈高血圧症である、請求項１０から１２のいずれか一項に記載の
組成物。
【請求項１５】
対象における肺血管硬化を低減する方法に用いる組成物であって、前記方法が、ＹＡＰ／ＴＡＺ阻害組成物および／またはＧＬＳ１阻害組成物の治療有効量を前記対象に投与することを含む、組成物。
【請求項１６】
前記ＹＡＰ／ＴＡＺ阻害組成物が前記対象に投与される、請求項１５に記載の組成物。
【請求項１７】
前記ＹＡＰ／ＴＡＺ阻害組成物が、ベルテポルフィン、その塩、プロドラッグ、または
誘導体である、請求項１５または１６に記載の組成物。
【請求項１８】
前記ＧＬＳ１阻害組成物が前記対象に投与される、請求項１５に記載の組成物。
【請求項１９】
前記ＧＬＳ１阻害組成物が、ＣＢ−９６８、その塩、プロドラッグ、または誘導体であ
る、請求項１５または１７のいずれか一項に記載の組成物。
【請求項２０】
前記ＹＡＰ／ＴＡＺ阻害組成物および前記ＧＬＳ１阻害組成物の両方が前記対象に投与
される、請求項１５に記載の組成物。
【請求項２１】
前記ＹＡＰ／ＴＡＺ阻害組成物が、ベルテポルフィン、その塩、プロドラッグ、または
誘導体である、請求項２０に記載の組成物。
【請求項２２】
前記ＧＬＳ１阻害組成物が、ＣＢ−９６８、その塩、プロドラッグ、または誘導体であ
る、請求項２０または２１に記載の組成物。
【手続補正２】
【補正対象書類名】明細書
【補正対象項目名】０１３５
【補正方法】変更
【補正の内容】
【０１３５】
配列番号３
【化５】
2019519533.tif 000001
本発明は、下記の態様を含む。
＜１＞
対象における肺血管疾患を治療する方法であって、ＹＡＰ／ＴＡＺ阻害組成物および／
またはＧＬＳ１阻害組成物の治療有効量を前記対象に投与することを含む、方法。
＜２＞
前記ＹＡＰ／ＴＡＺ阻害組成物が前記対象に投与される、＜１＞に記載の方法。
＜３＞
前記ＹＡＰ／ＴＡＺ阻害組成物が、ベルテポルフィン、その塩、プロドラッグ、または
誘導体である、＜１＞または＜２＞に記載の方法。
＜４＞
前記肺血管疾患が肺高血圧症である、＜１＞から＜３＞のいずれかに記載の方法。
＜５＞
前記肺血管疾患が肺動脈高血圧症である、＜１＞から＜３＞のいずれかに記載の方法。
＜６＞
前記ＧＬＳ１阻害組成物が前記対象に投与される、＜１＞に記載の方法。
＜７＞
前記ＧＬＳ１阻害組成物が、ＣＢ−９６８、その塩、プロドラッグ、または誘導体であ
る、＜６＞に記載の方法。
＜８＞
前記肺血管疾患が肺高血圧症である、＜６＞から＜８＞のいずれかに記載の方法。
＜９＞
前記肺血管疾患が肺動脈高血圧症である、＜６＞から＜８＞のいずれかに記載の方法。
＜１０＞
前記ＹＡＰ／ＴＡＺ阻害組成物および前記ＧＬＳ１阻害組成物の両方が前記対象に投与
される、＜１＞に記載の方法。
＜１１＞
前記ＹＡＰ／ＴＡＺ阻害組成物が、ベルテポルフィン、その塩、プロドラッグ、または
誘導体である、＜１０＞に記載の方法。
＜１２＞
前記ＧＬＳ１阻害組成物が、ＣＢ−９６８、その塩、プロドラッグ、または誘導体であ
る、＜１０＞または＜１１＞に記載の方法。
＜１３＞
前記肺血管疾患が肺高血圧症である、＜１０＞から＜１２＞のいずれかに記載の方法。
＜１４＞
前記肺血管疾患が肺動脈高血圧症である、＜１０＞から＜１２＞のいずれかに記載の方法。
＜１５＞
対象における肺血管硬化を低減する方法であって、ＹＡＰ／ＴＡＺ阻害組成物および／
またはＧＬＳ１阻害組成物の治療有効量を前記対象に投与することを含む、方法。
＜１６＞
前記ＹＡＰ／ＴＡＺ阻害組成物が前記対象に投与される、＜１５＞に記載の方法。
＜１７＞
前記ＹＡＰ／ＴＡＺ阻害組成物が、ベルテポルフィン、その塩、プロドラッグ、または
誘導体である、＜１５＞または＜１６＞に記載の方法。
＜１８＞
前記ＧＬＳ１阻害組成物が前記対象に投与される、＜１５＞に記載の方法。
＜１９＞
前記ＧＬＳ１阻害組成物が、ＣＢ−９６８、その塩、プロドラッグ、または誘導体であ
る、＜１５＞または＜１７＞のいずれかに記載の方法。
＜２０＞
前記ＹＡＰ／ＴＡＺ阻害組成物および前記ＧＬＳ１阻害組成物の両方が前記対象に投与
される、＜１５＞に記載の方法。
＜２１＞
前記ＹＡＰ／ＴＡＺ阻害組成物が、ベルテポルフィン、その塩、プロドラッグ、または
誘導体である、＜２０＞に記載の方法。
＜２２＞
前記ＧＬＳ１阻害組成物が、ＣＢ−９６８、その塩、プロドラッグ、または誘導体であ
る、＜２０＞または＜２１＞に記載の方法。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
（ａ）ＴＬＲアゴニストと、
（ｂ）補助脂質とを含む、ＴＬＲ水性製剤。
【請求項２】
前記ＴＬＲアゴニストは、ＴＬＲ２アゴニスト、ＴＬＲ３アゴニスト、ＴＬＲ４アゴニスト、ＴＬＲ５アゴニスト、ＴＬＲ６アゴニスト、ＴＬＲ７アゴニスト、ＴＬＲ８アゴニスト、ＴＬＲ７／８アゴニスト、又はＴＬＲ９アゴニストを含む、請求項１記載の水性製剤。
【請求項３】
アルミニウム塩をさらに含む、請求項１又は２に記載の水性製剤。
【請求項４】
（ａ）ＴＬＲ７／８アゴニストと、
（ｂ）補助脂質とを含む、ＴＬＲ７／８水性製剤。
【請求項５】
水性製剤は、４００ｎｍ以下の粒子サイズを有する安定なナノ懸濁液剤である、請求項４記載の水性製剤。
【請求項６】
（ａ）ＴＬＲ７／８アゴニストと、
（ｂ）補助脂質と、
（ｃ）アルミニウム塩とを含む、組成物。
【請求項７】
前記ＴＬＲ７／８アゴニストは、前記アルミニウム塩に吸着する、請求項６記載の組成物。
【請求項８】
前記ＴＬＲ７／８アゴニストは、前記アルミニウム塩の２５パーセントで、前記アルミニウム塩に吸着する、請求項６記載の組成物。
【請求項９】
前記アルミニウム塩は、水酸化アルミニウム、アルミニウム三水和物（aluminum trihydrate）、オキシ水酸化アルミニウム（aluminum oxyhydroxide）、リン酸アルミニウム（aluminum phosphate）、水酸化リン酸アルミニウム（aluminum hydroxyphosphate）、水酸化リン酸アルミニウム硫酸塩（aluminum hydroxyphosphate sulfate）及び硫酸アルミニウムカリウム（potassium aluminum sulfate）からなる群から選択される、請求項６から８のいずれか一項に記載の組成物。
【請求項１０】
前記アルミニウム塩は、Ａｌｈｙｄｒｏｇｅｌ（登録商標）を含む、請求項９記載の組成物。
【請求項１１】
前記アルミニウム塩は、ＡｄｊｕＰｈｏｓ（登録商標）を含む、請求項９記載の組成物。
【請求項１２】
前記ＴＬＲ７／８アゴニストは、３Ｍ−０５２を含む、請求項４から１１のいずれか一項に記載の組成物。
【請求項１３】
前記補助脂質は、リン脂質又は第四級アンモニウム塩脂質（quaternary ammonium salt lipid）である、請求項４から１２のいずれか一項に記載の組成物。
【請求項１４】
前記補助脂質は、炭素数１０〜２０のアルキル鎖を含む、請求項４から１３のいずれか一項に記載の組成物。
【請求項１５】
前記補助脂質は、ＤＯＰＣ、ＤＳＰＧ、ＤＳＴＡＰ及びポリソルベート８０から選択される、請求項４から１４のいずれか一項に記載の組成物。
【請求項１６】
前記補助脂質は、ＤＳＰＧ及びＤＳＴＡＰから選択される、請求項４から１４のいずれか一項に記載の組成物。
【請求項１７】
３Ｍ−０５２、Ａｌｈｙｄｒｏｇｅｌ（登録商標）及びＤＳＰＧを含む、請求項６記載の組成物。
【請求項１８】
３Ｍ−０５２、ＡｄｊｕＰｈｏｓ（登録商標）及びＤＳＴＡＰを含む、請求項６記載の組成物。
【請求項１９】
抗原をさらに含む、請求項１から１８のいずれか一項に記載の組成物。
【請求項２０】
前記抗原は、結核関連抗原、インフルエンザ関連抗原、赤血球凝集素関連抗原、癌関連抗原、ウイルス関連抗原及びアメーバ症関連抗原から選択される、請求項１９記載の組成物。
【請求項２１】
前記結核関連抗原は、ＩＤ９３、ＩＤ９１及びＢＣＧからなる群から選択される、請求項２０記載の組成物。
【請求項２２】
前記インフルエンザ関連抗原は、Ｈ５Ｎ１、インフルエンザＡ、インフルエンザＢ及びインフルエンザＣからなる群から選択される、請求項２０記載の組成物。
【請求項２３】
アメーバ症関連抗原は、ＬｅｃＡである、請求項２０記載の組成物。
【請求項２４】
前記ウイルス関連抗原は、Ｂ型肝炎及びＣ型肝炎からなる群から選択される、請求項２０記載の組成物。
【請求項２５】
前記組成物は安定である、請求項４から２４のいずれか一項に記載の組成物。
【請求項２６】
前記組成物は、少なくとも約６ヶ月間安定である、請求項２５記載の組成物。
【請求項２７】
前記組成物は、少なくとも約１年間安定である、請求項２５記載の組成物。
【請求項２８】
前記組成物は、２〜８℃で、少なくとも６ヶ月間安定である、請求項２５記載の組成物。
【請求項２９】
前記組成物は、２〜８℃で、少なくとも１年間安定である、請求項２５記載の組成物。
【手続補正書】
【提出日】令和2年5月12日(2020.5.12)
【手続補正１】
【補正対象書類名】明細書
【補正対象項目名】００２５
【補正方法】変更
【補正の内容】
【００２５】
実施例５
シャンプーの再生
【表６】
2019519502.tif 000001
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
下記構造
【化１】
2019519593.tif 000001
（式中、ＤはＩ、−Ｃ≡ＣＨ又はＣ≡Ｃ−Ｒであり、Ｒ＝アルキル又はアリールであり、及びＸは以下からなる群から選択される：
【化２】
2019519593.tif 000002
（Ｒ１は独立に、Ｈ、アルキル又はアリールであり、式中、独立にｍ＝０、１であり、ｎ＝０〜６であり、ｏ＝０〜６であり、ｐ＝０、１であり、ｑ＝０〜６であり、ｒ＝２〜６である）
【化３】
2019519593.tif 000003
（式中、独立にｍ＝０、１であり、ｎ＝０〜６であり、ｏ＝０〜６であり、ｐ＝１〜６であり、ｑ＝２〜６であり、及びＲ１、Ｒ２は独立にＨ、アルキル又はアリールである）
【化４】
2019519593.tif 000004
（式中、独立にｍ＝０、１であり、ｎ＝０〜６であり、ｏ＝０〜６であり、ｐ＝２〜６である）
【化５】
2019519593.tif 000005
（式中、独立にｍ＝０〜６であり、ｎ＝２〜６である）
【化６】
2019519593.tif 000006
（式中、独立にｍ＝０〜６であり、ｎ＝２〜６である）
【化７】
2019519593.tif 000007
（Ｒ１は独立にＨ、アルキル又はアリールであり、式中、独立にｍ＝０〜６であり、ｎ＝１〜６であり、ｏ＝２〜６である）
【化８】
2019519593.tif 000008
（Ｒ１、Ｒ２は独立にＨ、アルキル又はアリールであり、式中、独立にｍ＝１〜６であり、ｎ＝２〜６である）
及び
【化９】
2019519593.tif 000009
Ｒ１は独立にＨ、アルキル又はアリールであり、式中、独立にｍ＝０、１であり、ｎ＝１〜６であり、ｏ＝２〜６である））
を有する化合物あるいはその医薬的に許容される塩。
【請求項２】
下記構造
【化１０】
2019519593.tif 000010
（式中、ＤはＩ、−Ｃ≡ＣＨ又はＣ≡Ｃ−Ｒであり、Ｒ＝アルキル又はアリールであり、及びＸは以下からなる群から選択される：
【化１１】
2019519593.tif 000011
（Ｒ１は独立に、Ｈ、アルキル又はアリールであり、式中、独立にｍ＝０、１であり、ｎ＝０〜６であり、ｏ＝０〜６であり、ｐ＝０、１であり、ｑ＝０〜６であり、ｒ＝２〜６である）
【化１２】
2019519593.tif 000012
（式中、独立にｍ＝０、１であり、ｎ＝０〜６であり、ｏ＝０〜６であり、ｐ＝１〜６であり、ｑ＝２〜６であり、及びＲ１、Ｒ２は独立にＨ、アルキル又はアリールである）
【化１３】
2019519593.tif 000013
（式中、独立にｍ＝０、１であり、ｎ＝０〜６であり、ｏ＝０〜６であり、ｐ＝２〜６である）
【化１４】
2019519593.tif 000014
（式中、独立にｍ＝０〜６であり、ｎ＝２〜６である）
【化１５】
2019519593.tif 000015
（式中、独立にｍ＝０〜６であり、ｎ＝２〜６である）
【化１６】
2019519593.tif 000016
（Ｒ１は独立にＨ、アルキル又はアリールであり、式中、独立にｍ＝０〜６であり、ｎ＝１〜６であり、ｏ＝２〜６である）
【化１７】
2019519593.tif 000017
（Ｒ１、Ｒ２は独立にＨ、アルキル又はアリールであり、式中、独立にｍ＝１〜６であり、ｎ＝２〜６である）
及び
【化１８】
2019519593.tif 000018
（Ｒ１は独立にＨ、アルキル又はアリールであり、式中、独立にｍ＝０、１であり、ｎ＝１〜６であり、ｏ＝２〜６である））並びに、
【化１９】
2019519593.tif 000019
（式中、Ｗは
【化２０】
2019519593.tif 000020
であり、及びＲはＨ、アルキル又はアリールであり、及びｍ＝０、１〜６であり；
Ｄ＝Ｉ、−Ｃ≡ＣＨ、−Ｃ≡Ｃ−Ｒであり、式中、Ｒ＝アルキル又はアリールであり、式中、Ｘは以下からなる群から選択される：
【化２１】
2019519593.tif 000021
（式中、ｍ＝０、１〜６であり、ｎ＝１〜６であり、あるいはｍ及びｎの任意の組み合わせを含む）
【化２２】
2019519593.tif 000022
（式中、ＲはＨ、アルキル又はアリールであり、及びｍ＝０、１〜６であり、ｎ＝１〜６であり、あるいはｍ及びｎの任意の組み合わせを含む）
【化２３】
2019519593.tif 000023
（Ｒ１＝Ｈ、アルキル又はアリールであり、式中、ｍ、ｎは独立に１〜６である）
【化２４】
2019519593.tif 000024
（Ｒ１、Ｒ２は独立にＨ、アルキル又はアリールであり、及びｍ、ｎ、ｏは独立に１〜６である））
を有する化合物あるいはその医薬的に許容される塩。
【請求項３】
、
【化２５】
2019519593.tif 000025
、
【化２６】
2019519593.tif 000026
、
【化２７】
2019519593.tif 000027
、
【化２８】
2019519593.tif 000028
及び、
【化２９】
2019519593.tif 000029
、
からなる群から選択される、化合物。
【請求項４】
請求項１に記載の化合物と、医薬的に許容される担体又はビヒクルとを含む医薬組成物。
【請求項５】
ｍＴＯＲ、ＭＥＫ及びＰＩ３Ｋのうちの少なくとも１つを阻害することによって奏効が得られる、疾患又は病態を治療する方法であって、治療有効量の請求項１に記載の化合物を、それを必要とする個体に投与することを含む、方法。
【請求項６】
前記疾患又は病態が、段落番号［００９５］から［００９７］及び［００９９］中に開示されている疾患及び病態から選択される、請求項５に記載の方法。
【請求項７】
前記疾患又は病態が癌である、請求項６に記載の方法。
【請求項８】
【化３０】
2019519593.tif 000030
Ｒ１、Ｒ２は独立にＨ、アルキル又はアリールであり、ｍ、ｎ、ｏ＝１、２、３、４又は５である）
【化３１】
2019519593.tif 000031
Ｒ１、Ｒ２は独立にＨ、アルキル又はアリールであり、ｍ、ｎ、ｏ＝１、２、３、４又は５である）及び
【化３２】
2019519593.tif 000032
Ｒ１、Ｒ２は独立にＨ、アルキル又はアリールであり、ｍ、ｎ、ｏ＝１、２、３、４又は５である）
からなる群から選択されるＰＩ３Ｋ阻害剤へのＭＥＫ阻害剤用リンカー。
【請求項９】
【化３３】
2019519593.tif 000033
、
【化３４】
2019519593.tif 000034
、
【化３５】
2019519593.tif 000035
、
【化３６】
2019519593.tif 000036
【化３７】
2019519593.tif 000037
、並びに、
２−［２，３−ビス（２-ヒドロキシエトキシ）プロポキシ］エタノール及びペンタエリスリトールからなる群から選択される、ＰＩ３Ｋ阻害剤へのＭＥＫ阻害剤用リンカー。
【請求項１０】
下記構造
【化３８】
2019519593.tif 000038
を有する請求項３に記載の化合物。
【請求項１１】
下記構造
【化３９】
2019519593.tif 000039
を有する請求項３に記載の化合物。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
【表１】
2019519553.tif 000001
を含む、ブタインターフェロン-α(pINF-α)変異体であって、
残基E103、E107、L112、Y136、またはQ102(配列番号：4に対する番号付け)が合成アミノ酸で置換される、ブタインターフェロン-α(pINF-α)変異体。
【請求項２】
合成アミノ酸が、パラアセチルフェニルアラニン(pAF)である、請求項１に記載のpINF-α変異体。
【請求項３】
変異体が、配列番号：7である、請求項１に記載のpINF-α変異体。
【請求項４】
変異体が、配列番号：10である、請求項１に記載のpINF-α変異体。
【請求項５】
変異体が、配列番号：13である、請求項１に記載のpINF-α変異体。
【請求項６】
変異体が、配列番号：16である、請求項１に記載のpINF-α変異体。
【請求項７】
変異体が、配列番号：19である、請求項１に記載のpINF-α変異体。
【請求項８】
変異体が、配列番号：8である、請求項１に記載のpINF-α変異体。
【請求項９】
変異体が、配列番号：11である、請求項１に記載のpINF-α変異体。
【請求項１０】
変異体が、配列番号：14である、請求項１に記載のpINF-α変異体。
【請求項１１】
変異体が、配列番号：17である、請求項１に記載のpINF-α変異体。
【請求項１２】
変異体が、配列番号：20である、請求項１に記載のpINF-α変異体。
【請求項１３】
合成アミノ酸が、ペグ化される、請求項１〜１２のいずれかに記載のpINF-α変異体。
【請求項１４】
ペグ化pINF-α変異体が、約5kDa〜40kDaのPEGでペグ化される、請求項１３に記載のpINF-α変異体。
【請求項１５】
PEGが、30kDaのPEGである、請求項１４に記載のpINF-α変異体。
【請求項１６】
【表２】
2019519553.tif 000002
からなる、ブタインターフェロン-α(pINF-α)変異体であって、
E107(配列番号：4に対する番号付け)に対応する残基が、パラアセチルフェニルアラニン(pAF)で置換され、該pAF残基が、30kDaの直鎖状PEGでペグ化される、ブタインターフェロン-α(pINF-α)変異体。
【請求項１７】
請求項１〜１６のいずれかに記載のpINF-α変異体を含む製剤であって、さらに20mMの酢酸ナトリウム、100mMの塩化ナトリウム及び5%のグリセロールをpH5.0で含み、約2.0〜約6.0g/Lの力価のpINF-α変異体を含む、製剤。
【請求項１８】
請求項１に記載のpINF-α変異体を製造する方法であって、
以下の工程：
(a)pINF-αを精製する工程；
(b)精製pINF-α変異体を、pH8にて、50mM Tris、6Mグアニジンに可溶化する工程；
(c)可溶化pINF-αA変異体を、pH8にて、20mM Tris、1Mアルギニン、10mMメチオニン(met)、1mM EDTA中、室温にて16-24時間インキュベートする工程；
(d)残留アセチル化変異体を除去する工程；
(e)pINF-α変異体を、1：1〜1：2のPEG：タンパク質比にてPEGでコンジュゲートさせる工程；および
(f)ペグ化pINF-α変異体を精製する工程；
を含む方法。
【請求項１９】
それを必要とするブタに、請求項１〜１６のいずれかに記載のpINF-α変異体を皮下投与することを含む、ブタのウイルス感染を予防または治療する方法。
【請求項２０】
pINF-α変異体が、動物の体重kg当たり25μg/kg〜150μg/kgの範囲で投与される、請求項１９に記載の方法。
【請求項２１】
動物の体重kg当たり25μg/kg〜150μg/kgのpINF-α変異体の第二の投与を含む、請求項２０に記載の方法。
【請求項２２】
第二の投与が、第一の投与の7〜14日後である、請求項２１に記載の方法。
【請求項２３】
ウイルス感染が、ブタ生殖器および呼吸器疾患ウイルス、口蹄疫ウイルス、ブタインフルエンザウイルス、ブタサーコウイルス、ブタ流行性下痢ウイルスおよび伝染性胃腸炎ウイルスからなる群から選択される、請求項１９に記載の方法。
【請求項２４】
ブタが、新生ブタであるか、または妊娠中のブタである、請求項１９〜２３のいずれかに記載の方法。
【請求項２５】
請求項１７に記載の製剤を含有する複数回投与用バイアル。
【請求項２６】
ウイルス感染を治療するためのブタにおける療法における、請求項１〜１６のいずれかに記載のpINF-α変異体の使用。
【請求項２７】
療法のための請求項１〜１６のいずれかに記載のpINF-α変異体の使用。
【請求項２８】
ブタにおけるウイルス感染を治療するための、請求項１７に記載の製剤または請求項１〜１６のいずれかに記載のpINF-α変異体の使用。
【請求項２９】
ブタにおけるウイルス感染を治療するための医薬の製造における使用のための、請求項１７に記載の製剤または請求項１〜１６のいずれかに記載のpINF-α変異体の使用。
【請求項３０】
ブタが、新生ブタまたは妊娠中のブタである、請求項２８または２９のいずれかに記載の使用。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
必要とする対象においてクロストリジウム・ディフィシル(Clostridium difficile)感染症(CDI)を治療するための凍結乾燥糞便微生物調製物を含むカプセルであって、
前記対象が前記カプセルの投与前の少なくとも2時間、水だけを摂取し、
前記カプセルが耐酸性である、カプセル。
【請求項２】
前記対象が、前記カプセルの投与前に結腸下剤を投与されていない、請求項1に記載のカプセル。
【請求項３】
耐酸性錠剤、耐酸性ゲルタブ、又は耐酸性丸薬である、請求項1に記載のカプセル。
【請求項４】
前記凍結乾燥糞便微生物調製物が、1010個以上の総細胞数を含む、請求項1に記載のカプセル。
【請求項５】
前記凍結乾燥糞便微生物調製物が、凍結防止剤を含む、請求項1に記載のカプセル。
【請求項６】
前記CDIが、一次性CDIである、請求項1に記載のカプセル。
【請求項７】
前記糞便微生物調製物が、糞便試料の実質的に完全な微生物叢を含む、請求項1に記載のカプセル。
【請求項８】
前記CDIが、再発性CDIである、請求項1に記載のカプセル。
【請求項９】
ヒプロメロースを含む、請求項1に記載のカプセル。
【請求項１０】
二重カプセル化されている、請求項1に記載のカプセル。
【請求項１１】
前記凍結防止剤が、トレハロース、グルコース、フルクトース、スクロース、ラクトース、リボース、マンニトール、エリトリトール、アラビトール、ソルビトール、アラニン、グリシン、プロリン、及びそれらの組み合わせからなる群から選択される、請求項5に記載のカプセル。
【請求項１２】
前記対象が、前記カプセルの投与前に結腸下剤を投与されている、請求項1に記載のカプセル。
【請求項１３】
耐酸性マイクロカプセルである、請求項1に記載のカプセル。
【請求項１４】
前記対象が、プロトンポンプ阻害剤を投与されない、請求項1に記載のカプセル。
【請求項１５】
前記凍結防止剤が、トレハロースである、請求項5に記載のカプセル。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
ニコチン、糖、およびアミノ酸またはペプチドを液体担体と混合して液体混合物を形成する工程であって、前記アミノ酸はロイシン、アラニン、バリン、イソロイシン、メチオニン、フェニルアラニン、チロシン、トリプトファン、またはこれらの組合せを含み、前記ペプチドはトリロイシンを含む工程と、
前記液体混合物を噴霧乾燥して第一の多数の粒子を形成する工程と、
前記第一の多数のニコチン粒子を粉砕して第二の多数の粒子を形成する工程とを含む、方法。
【請求項２】
前記混合工程が、糖および前記ニコチンを前記液体担体と混合して前記液体混合物を形成する工程をさらに含む、請求項１に記載の方法。
【請求項３】
前記混合工程が、アミノ酸および前記ニコチンを前記液体担体と混合して前記液体混合物を形成する工程を含む、請求項１〜２のいずれか一項に記載の方法。
【請求項４】
前記ニコチンがニコチン塩である、請求項１〜３のいずれか一項に記載の方法。
【請求項５】
前記粉砕工程が液体エネルギー粉砕を含み、前記液体エネルギー粉砕が前記第一の多数の粒子の質量中央空気動力学的直径を、前記第二の多数の粒子の質量中央空気動力学的直径に、約１．２：１〜約５：１の比で減少させる、請求項１〜４のいずれか一項に記載の方法。
【請求項６】
前記噴霧乾燥工程が、約４．５マイクロメートル以下の粒子サイズを有する体積比で約９０％の前記粒子と、約２．５マイクロメートル以下の粒子サイズを有する体積比で約５０％の前記粒子と、約０．８５マイクロメートル以下の粒子サイズを有する体積比で約１０％の前記粒子とを含む、第一の多数のニコチン粒子を形成する、請求項１〜５のいずれか一項に記載の方法。
【請求項７】
前記粉砕工程が、約３．０マイクロメートル以下の粒子サイズを有する体積比で約９０％の前記粒子と、約１．５マイクロメートル以下の粒子サイズを有する体積比で約５０％の前記粒子と、約０．７マイクロメートル以下の粒子サイズを有する体積比で約１０％の前記粒子とを含む、第二の多数のニコチン粒子を形成する、請求項１〜６のいずれか一項に記載の方法。
【請求項８】
前記ニコチンが、乳酸ニコチン、ピルビン酸ニコチン、クエン酸ニコチン、またはアスパラギン酸ニコチンを含み、前記糖がトレハロースである、請求項２に記載の方法。
【請求項９】
前記ニコチンが、乳酸ニコチン、ピルビン酸ニコチン、クエン酸ニコチン、アスパラギン酸ニコチンを含み、前記アミノ酸がロイシンを含む、請求項３に記載の方法。
【請求項１０】
前記第二の多数の粒子を吸入送達消耗要素内にパッケージする工程をさらに含む、請求項１〜９のいずれか一項に記載の方法。
【請求項１１】
乾燥粉末の組成物であって、
ニコチン、糖、およびロイシン、アラニン、バリン、イソロイシン、メチオニン、フェニルアラニン、チロシン、トリプトファン、またはこれらの組合せを含むアミノ酸、並びにトリロイシンを含むペプチドで形成される多数の粒子であって、体積比で約９０％の粒子が約２．８マイクロメートル未満の粒子サイズを有し、体積比で約５０％の粒子が約１．３５マイクロメートル未満の粒子サイズを有し、体積比で約１０％の粒子が約０．６５マイクロメートル未満の粒子サイズを有する、乾燥粉末の組成物。
【請求項１２】
前記ニコチンが、乳酸ニコチン、ピルビン酸ニコチン、クエン酸ニコチン、アスパラギン酸ニコチンを含み、前記糖がトレハロースを含み、前記アミノ酸がロイシンを含む、請求項１１に記載の乾燥粉末の組成物。
【請求項１３】
約５〜約１５ｗｔ％のニコチンを含む、請求項１１または請求項１２のいずれか一項に記載の乾燥粉末の組成物。
【請求項１４】
約６０ｗｔ％〜約９５ｗｔ％の糖と、約１ｗｔ％〜約１０ｗｔ％のアミノ酸とを含む、請求項１１〜１３のいずれか一項に記載の乾燥粉末の組成物。
【請求項１５】
請求項１１〜１４のいずれか一項に記載の乾燥粉末の組成物を含む、吸入送達消耗要素。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
ＦＬＴ３に特異的な抗原結合ドメイン、膜貫通ドメイン及び細胞内Ｔ細胞シグナル伝達ドメインを含むキメラ抗原受容体（ＣＡＲ）であって、
（ａ）  該抗原結合ドメインが、配列番号１３〜１９の配列を含む軽鎖可変領域を含むか；又は
（ｂ）  該抗原結合ドメインが、配列番号５〜１１の配列を含む重鎖可変領域を含む、
ＣＡＲ。
【請求項２】
前記抗原結合ドメインが、配列番号１３〜１９の配列を含む軽鎖可変領域を含む、請求項１のＣＡＲ。
【請求項３】
前記抗原結合ドメインが、配列番号５〜１１の配列を含む重鎖可変領域を含む、請求項１又は２のＣＡＲ。
【請求項４】
前記抗原結合ドメインが配列番号１２のリンカー配列を含む、請求項１〜３のいずれか一項のＣＡＲ。
【請求項５】
前記抗原結合ドメインが配列番号５〜１９を含む、請求項１〜４のいずれか一項のＣＡＲ。
【請求項６】
前記膜貫通ドメインが、配列番号２５のＣＤ８αヒンジ配列及び配列番号２６の膜貫通ドメイン配列を含む、ＣＤ８アミノ酸配列を含む、請求項１〜５のいずれか一項のＣＡＲ。
【請求項７】
前記細胞内Ｔ細胞シグナル伝達ドメインが、配列番号２７の４−１ＢＢのアミノ酸配列を含む、請求項１〜６のいずれか一項のＣＡＲ。
【請求項８】
前記細胞内Ｔ細胞シグナル伝達ドメインが、配列番号２８のＣＤ３ゼータのアミノ酸配列を含む、請求項１〜７のいずれか一項のＣＡＲ。
【請求項９】
前記ＣＡＲが、配列番号２１〜２４を含むスペーサーを更に含む、請求項１〜８のいずれか一項のＣＡＲ。
【請求項１０】
前記ＣＡＲが、配列番号１、２、２９又は３０の配列のいずれか1つを含む、請求項１のＣＡＲ。
【請求項１１】
請求項１〜１０のいずれか一項のＣＡＲをコードするヌクレオチド配列を含む、核酸。
【請求項１２】
請求項１１の核酸を含む、組換え発現ベクター。
【請求項１３】
請求項１２の組換え発現ベクターを含む、単離された宿主細胞。
【請求項１４】
請求項１〜１０のいずれか一項のＣＡＲ、請求項１１の核酸、請求項１２の組換え発現ベクター、請求項１３の宿主細胞又はその細胞集団と、医薬的に許容される担体とを含む、医薬組成物。
【請求項１５】
請求項１〜１０のいずれか一項のＣＡＲ、請求項１１の核酸、請求項１２の組換え発現ベクター、請求項１３の宿主細胞若しくはその細胞集団、又は請求項１４の医薬組成物を含む、哺乳動物における、がんの治療剤又は予防剤。
【請求項１６】
前記がんが、プレＢ細胞前駆体急性リンパ芽球性白血病又は急性骨髄性白血病である、請求項１５の剤。